(57)【要約】      （修正有）【課題】弁漏れし難くできるとともに、圧力損失を効果的に抑えることのできる六方切換弁を提供する。【解決手段】主弁体１５内に、少なくとも、第１Ｕターン通路１６Ａと第２Ｕターン通路１６Ｂとが設けられ、主弁室１２内で主弁体１５を移動させることにより、ポートｐＡとポートｐＢが第１Ｕターン通路１６Ａを介して連通せしめられ、ポートｐＣとポートｐＤが第２Ｕターン通路１６Ｂを介して連通せしめられ、ポートｐＥとポートｐＦが主弁ハウジング１１内を通じて連通せしめられる第１連通状態と、ポートｐＡとポートｐＦが第１Ｕターン通路１６Ａを介して連通せしめられ、ポートｐＥとポートｐＤが第２Ｕターン通路１６Ｂを介して連通せしめられ、ポートｐＣとポートｐＢとが主弁ハウジング１１内を通じて連通せしめられる第２連通状態と、を選択的にとり得るようにされる。【選択図】図１
2018044666.tif 000002
【特許請求の範囲】
【請求項１】
主弁室を画成する筒状の主弁ハウジング、該主弁ハウジングに合計で６個設けられたポート、及び前記主弁室内に軸線方向に移動可能に配在されたスライド式の主弁体を備え、前記主弁体内に、前記ポート間を選択的に連通するための複数本の連通路が設けられ、前記主弁体を移動させることにより、連通するポート間が切り換えられるようにされた六方切換弁であって、
前記主弁室に、３個のポートが軸線方向に並んで開口せしめられるとともに、前記３個のポートとは軸線周りで異なる位置に、別の３個のポートが軸線方向に並んで開口せしめられ、
前記主弁体内に、少なくとも、前記３個のポートのうちの２個のポートを選択的に連通させる第１Ｕターン通路と前記別の３個のポートのうちの２個のポートを選択的に連通させる第２Ｕターン通路とが設けられ、
前記主弁室内で前記主弁体を移動させることにより、
前記３個のポートのうちの２個のポートが前記第１Ｕターン通路を介して連通せしめられ、前記別の３個のポートのうちの２個のポートが前記第２Ｕターン通路を介して連通せしめられ、前記３個のポートのうちの他の１個のポートと前記別の３個のポートのうちの他の１個のポートが前記主弁ハウジング内を通じて連通せしめられる連通状態を選択的に複数とり得るようにされていることを特徴とする六方切換弁。
【請求項２】
主弁室を画成する筒状の主弁ハウジング、該主弁ハウジングに合計で６個設けられたポート、及び前記主弁室内に軸線方向に移動可能に配在されたスライド式の主弁体を備え、前記主弁体内に、前記ポート間を選択的に連通するための複数本の連通路が設けられ、前記主弁体を移動させることにより、連通するポート間が切り換えられるようにされた六方切換弁であって、
前記主弁室に、第１ポート、第２ポート、及び第３ポートが軸線方向に並んで開口せしめられるとともに、前記第１ポート、第２ポート、及び第３ポートとは軸線周りで異なる位置に、第４ポート、第５ポート、及び第６ポートが軸線方向に並んで開口せしめられ、
前記主弁体内に、少なくとも、前記第１から第３ポートのうちの２個のポートを選択的に連通させる第１Ｕターン通路と前記第４から第６ポートのうちの２個のポートを選択的に連通させる第２Ｕターン通路とが設けられ、
前記主弁室内で前記主弁体を移動させることにより、
前記第１ポートと前記第２ポートが前記第１Ｕターン通路を介して連通せしめられ、前記第４ポートと前記第５ポートが前記第２Ｕターン通路を介して連通せしめられ、前記第３ポートと前記第６ポートが前記主弁ハウジング内を通じて連通せしめられる第１連通状態と、
前記第２ポートと前記第３ポートが前記第１Ｕターン通路を介して連通せしめられ、前記第５ポートと前記第６ポートが前記第２Ｕターン通路を介して連通せしめられ、前記第１ポートと前記第４ポートが前記主弁ハウジング内を通じて連通せしめられる第２連通状態と、を選択的にとり得るようにされていることを特徴とする六方切換弁。
【請求項３】
前記主弁体は、前記第１Ｕターン通路を有する第１スライド弁体と前記第２Ｕターン通路を有する第２スライド弁体とを備えることを特徴とする請求項２に記載の六方切換弁。
【請求項４】
前記第１ポート、第２ポート、及び第３ポートと前記第４ポート、第５ポート、及び第６ポートとが対向する位置に設けられ、
前記第１スライド弁体と前記第２スライド弁体とが、前記第１Ｕターン通路と前記第２Ｕターン通路とが反対向きに開口するように背面合わせの状態で配在されていることを特徴とする請求項３に記載の六方切換弁。
【請求項５】
前記第１スライド弁体と前記第２スライド弁体とが、軸線方向に一体的に移動自在、かつ、軸線に対して垂直な方向であって前記第１ポート、第２ポート、及び第３ポートと前記第４ポート、第５ポート、及び第６ポートとが対向する方向に相互に摺動自在とされていることを特徴とする請求項４に記載の六方切換弁。
【請求項６】
前記第１スライド弁体及び前記第２スライド弁体の一方に設けられた筒状部に、前記第１スライド弁体及び前記第２スライド弁体の他方に設けられた嵌合凸部が摺動自在に内嵌されて一体とされていることを特徴とする請求項５に記載の六方切換弁。
【請求項７】
前記第１スライド弁体と前記第２スライド弁体との間に、前記第１スライド弁体と前記第２スライド弁体とを相互に逆方向に付勢する付勢部材が配在されていることを特徴とする請求項５又は６に記載の六方切換弁。
【請求項８】
前記第１スライド弁体と前記第２スライド弁体との間に、高圧流体が導入される圧力室が設けられていることを特徴とする請求項５から７のいずれか一項に記載の六方切換弁。
【請求項９】
前記第１Ｕターン通路及び前記第２Ｕターン通路の一方に相対的に高圧の流体が導入され、前記第１Ｕターン通路及び前記第２Ｕターン通路の他方に相対的に低圧の流体が導入されるとともに、前記第１Ｕターン通路及び前記第２Ｕターン通路の一方に導入された高圧流体の一部が前記圧力室に導入されるようにされていることを特徴とする請求項８に記載の六方切換弁。
【請求項１０】
軸線に対して垂直な方向で視て、前記第１スライド弁体及び前記第２スライド弁体の一方における前記圧力室側の受圧面積が前記第１ポート、第２ポート、及び第３ポートが設けられた主弁座側の受圧面積より大きくされていることを特徴とする請求項９に記載の六方切換弁。
【請求項１１】
前記第１連通状態において、前記第３ポートと前記第６ポートが前記主弁室を介して連通せしめられ、前記第２連通状態において、前記第１ポートと前記第４ポートが前記主弁室を介して連通せしめられることを特徴とする請求項８から１０のいずれか一項に記載の六方切換弁。
【請求項１２】
前記主弁室と前記圧力室との間をシールするシール材が配在されていることを特徴とする請求項１１に記載の六方切換弁。
【請求項１３】
前記第１連通状態において、前記第３ポートと前記第６ポートが前記主弁体を貫通して設けられた下側貫通路を介して連通せしめられ、前記第２連通状態において、前記第１ポートと前記第４ポートが前記主弁体を貫通して設けられた上側貫通路を介して連通せしめられることを特徴とする請求項８から１０のいずれか一項に記載の六方切換弁。
【請求項１４】
前記下側貫通路及び／又は前記上側貫通路は、通路径が一定のストレート状通路で構成されていることを特徴とする請求項１３に記載の六方切換弁。
【請求項１５】
前記下側貫通路及び／又は前記上側貫通路は、前記第１スライド弁体と前記第２スライド弁体とに跨がる分割連通路とされ、該分割連通路のうちの前記第１スライド弁体側の端部及び前記第２スライド弁体側の端部の一方に大径部が形成されるとともに、他方に前記大径部に挿入される嵌挿筒部が延設され、前記大径部と前記嵌挿筒部との間にシール材が介装されていることを特徴とする請求項１３又は１４に記載の六方切換弁。
【請求項１６】
前記主弁室と前記圧力室とが常時連通せしめられていることを特徴とする請求項１３から１５のいずれか一項に記載の六方切換弁。
【請求項１７】
前記主弁ハウジングにおける前記主弁室の一端側及び他端側に、一対の第１及び第２ピストンにより画成される、高圧流体が選択的に導入・排出される容量可変の第１及び第２作動室が設けられ、前記主弁体は、前記第１及び第２ピストンに連動して軸線方向に移動自在に配在されており、
前記第１及び第２作動室への高圧流体の導入・排出を制御して前記第１及び第２ピストンを移動させて、前記主弁室内で前記主弁体を移動させるようにされていることを特徴とする請求項１から１６のいずれか一項に記載の六方切換弁。
【請求項１８】
前記第１ピストンと前記第２ピストンとは、主連結体により一体移動可能に連結され、前記主連結体に、前記主弁体が前記第１及び第２ピストンの往復移動に伴って移動するように連結、嵌合、もしくは係合せしめられていることを特徴とする請求項１７に記載の六方切換弁。
【請求項１９】
前記主弁ハウジングの一端に、前記第１ピストンの一端方向への移動を阻止するストッパを兼ねる一端側蓋部材が固着され、前記主弁ハウジングの他端に、前記第２ピストンの他端方向への移動を阻止するストッパを兼ねる他端側蓋部材が固着されていることを特徴とする請求項１７又は１８に記載の六方切換弁。
【請求項２０】
前記第１及び第２作動室への高圧流体の導入・排出の制御を、前記第１及び第２作動室に設けられたポート、及び、前記六方切換弁の高圧部分と低圧部分とに接続された単一の四方パイロット弁により行うようにされていることを特徴とする請求項１７から１９のいずれか一項に記載の六方切換弁。
【発明の詳細な説明】
【技術分野】
【０００１】
本発明は、弁体を移動させることにより流路の切り換えを行う六方切換弁に係り、特に、ヒートポンプ式冷暖房システム等において流路切換を行う流路切換弁として使用するのに好適な六方切換弁に関する。
【背景技術】
【０００２】
一般に、ルームエアコン、カーエアコン等のヒートポンプ式冷暖房システムは、圧縮機、室外熱交換器、室内熱交換器、及び膨張弁等に加えて、流路（流れ方向）切換手段としての流路切換弁を備えている。
【０００３】
この種の流路切換弁としては、四方切換弁がよく知られているが、それに代えて六方切換弁を用いることが考えられている。
【０００４】
以下に六方切換弁を備えたヒートポンプ式冷暖房システムの一例を図８（Ａ）、（Ｂ）を参照しながら簡単に説明する。図示例のヒートポンプ式冷暖房システム１００は、運転モード（冷房運転と暖房運転）の切り換えを六方切換弁１８０で行うようになっており、基本的には、圧縮機１１０、室外熱交換器１２０、室内熱交換器１３０、冷房用膨張弁１５０、及び暖房用膨張弁１６０を備え、それらの間に６個のポートｐＡ、ｐＢ、ｐＣ、ｐＤ、ｐＥ、ｐＦを有する六方切換弁１８０が配在されている。
【０００５】
前記各機器間は導管（パイプ）等で形成される流路で接続されており、冷房運転モードが選択されたときには、図８（Ａ）に示される如くに、圧縮機１１０から吐出された高温高圧の冷媒は、六方切換弁１８０のポートｐＡからポートｐＢを介して室外熱交換器１２０に導かれ、ここで室外空気と熱交換して凝縮し、高圧の二相冷媒となって冷房用膨張弁１５０に導入される。この冷房用膨張弁１５０により高圧の冷媒が減圧され、減圧された低圧の冷媒は、六方切換弁１８０のポートｐＥからポートｐＦを介して室内熱交換器１３０に導入され、ここで室内空気と熱交換（冷房）して蒸発し、室内熱交換器１３０からは低温低圧の冷媒が六方切換弁１８０のポートｐＣからポートｐＤを介して圧縮機１１０の吸入側に戻される。
【０００６】
それに対し、暖房運転モードが選択されたときには、図８（Ｂ）に示される如くに、圧縮機１１０から吐出された高温高圧の冷媒は、六方切換弁１８０のポートｐＡからポートｐＦを介して室内熱交換器１３０に導かれ、ここで室内空気と熱交換（暖房）して凝縮し、高圧の二相冷媒となって暖房用膨張弁１６０に導入される。この暖房用膨張弁１６０により高圧の冷媒が減圧され、減圧された低圧の冷媒は、六方切換弁１８０のポートｐＣからポートｐＢを介して室外熱交換器１２０に導入され、ここで室外空気と熱交換して蒸発し、室外熱交換器１２０からは低温低圧の冷媒が六方切換弁１８０のポートｐＥからポートｐＤを介して圧縮機１１０の吸入側に戻される。
【０００７】
前記した如くのヒートポンプ式冷暖房システムに組み込まれる六方切換弁として、特許文献１に所載の如くの、スライド式のものが知られている。このスライド式の六方切換弁は、スライド式主弁体を内蔵する弁本体（主弁ハウジング）と電磁式のパイロット弁（四方パイロット弁）とを有し、主弁ハウジングに、前記ポートｐＡ〜ｐＦが設けられるとともに、スライド式主弁体が左右方向に摺動可能に配在されている。主弁ハウジングにおけるスライド式主弁体の左右には、パイロット弁を介して圧縮機吐出側及び圧縮機吸入側に接続される、それぞれスライド式主弁体に結合された左右一対のピストン型パッキンにより画成される二つの作動室が設けられ、この二つの作動室への高圧流体（冷媒）の導入・排出を前記パイロット弁で選択的に行い、この二つの作動室の圧力差を利用して前記スライド式主弁体を左右方向に摺動させることで前記流路切換を行うようにされている。
【先行技術文献】
【特許文献】
【０００８】
【特許文献１】特開平８−１７０８６４号公報
【発明の概要】
【発明が解決しようとする課題】
【０００９】
前記した如くの従来の流路切換弁においては、次のような解決すべき課題がある。
【００１０】
すなわち、特許文献１に所載のスライド式の六方切換弁では、前記６個のポートｐＡ〜ｐＦのうち５個のポートｐＢ〜ｐＦが軸線方向に並んで設けられているので、前記５個のポートｐＢ〜ｐＦが設けられる主弁座やスライド式主弁体が（軸線方向で）長くなり、スライド式主弁体が摺動自在に対接せしめられる主弁座の弁シート面やスライド式主弁体のシール面の面精度（平面度）の確保が難しく、初期漏れや耐久劣化による漏れ（弁漏れ）が増加するおそれがある。
【００１１】
また、内容積が比較的小さな主弁ハウジング内において高圧流体（冷媒）が内壁面等に衝突するとともに、その流れ方向がクランク状に大きく変わるので、圧力損失が大きくなる嫌いがある。
【００１２】
上記に加えて、従来の流路切換弁、特に、前記したヒートポンプ式冷暖房システムに使用される流路切換弁では、主弁ハウジング内において高温高圧の冷媒（ポートｐＡからポートｐＢ、ポートｐＡからポートｐＦへ流れる冷媒）と低温低圧の冷媒（ポートｐＣからポートｐＤ、ポートｐＥからポートｐＤへ流れる冷媒）とが近接した状態で流される。詳しくは、高温高圧の冷媒と低温低圧の冷媒とが、冷房運転時には主弁座を介して隣接するポートｐＢとポートｐＣとに流され、暖房運転時には主弁座を介して隣接するポートｐＦとポートｐＣとに流されるが、その各ポートが設けられる主弁座は、一般に熱伝導率の高い金属で作製されているので、それらの間の熱交換量（つまり、熱損失）が大きくなって、システムの効率が悪くなるという問題もある。
【００１３】
本発明は、上記事情に鑑みてなされたもので、その目的とするところは、弁漏れし難くできるとともに、圧力損失を効果的に抑えることのできる六方切換弁を提供することにある。
【００１４】
また、本発明の他の目的とするところは、ヒートポンプ式冷暖房システム等の高温高圧の流体と低温低圧の流体が流される環境で使用される場合において、熱損失を低減し得てヒートポンプ式冷暖房システムの効率を向上させることのできる六方切換弁を提供することにある。
【課題を解決するための手段】
【００１５】
前記の目的を達成すべく、本発明に係る六方切換弁は、基本的には、主弁室を画成する筒状の主弁ハウジング、該主弁ハウジングに合計で６個設けられたポート、及び前記主弁室内に軸線方向に移動可能に配在されたスライド式の主弁体を備え、前記主弁体内に、前記ポート間を選択的に連通するための複数本の連通路が設けられ、前記主弁体を移動させることにより、連通するポート間が切り換えられるようにされ、前記主弁室に、３個のポートが軸線方向に並んで開口せしめられるとともに、前記３個のポートとは軸線周りで異なる位置に、別の３個のポートが軸線方向に並んで開口せしめられ、前記主弁体内に、少なくとも、前記３個のポートのうちの２個のポートを選択的に連通させる第１Ｕターン通路と前記別の３個のポートのうちの２個のポートを選択的に連通させる第２Ｕターン通路とが設けられ、前記主弁室内で前記主弁体を移動させることにより、前記３個のポートのうちの２個のポートが前記第１Ｕターン通路を介して連通せしめられ、前記別の３個のポートのうちの２個のポートが前記第２Ｕターン通路を介して連通せしめられ、前記３個のポートのうちの他の１個のポートと前記別の３個のポートのうちの他の１個のポートが前記主弁ハウジング内を通じて連通せしめられる連通状態を選択的に複数とり得るようにされていることを特徴としている。
【００１６】
より具体的な好ましい態様では、主弁室を画成する筒状の主弁ハウジング、該主弁ハウジングに合計で６個設けられたポート、及び前記主弁室内に軸線方向に移動可能に配在されたスライド式の主弁体を備え、前記主弁体内に、前記ポート間を選択的に連通するための複数本の連通路が設けられ、前記主弁体を移動させることにより、連通するポート間が切り換えられるようにされ、前記主弁室に、第１ポート、第２ポート、及び第３ポートが軸線方向に並んで開口せしめられるとともに、前記第１ポート、第２ポート、及び第３ポートとは軸線周りで異なる位置に、第４ポート、第５ポート、及び第６ポートが軸線方向に並んで開口せしめられ、前記主弁体内に、少なくとも、前記第１から第３ポートのうちの２個のポートを選択的に連通させる第１Ｕターン通路と前記第４から第６ポートのうちの２個のポートを選択的に連通させる第２Ｕターン通路とが設けられ、前記主弁室内で前記主弁体を移動させることにより、前記第１ポートと前記第２ポートが前記第１Ｕターン通路を介して連通せしめられ、前記第４ポートと前記第５ポートが前記第２Ｕターン通路を介して連通せしめられ、前記第３ポートと前記第６ポートが前記主弁ハウジング内を通じて連通せしめられる第１連通状態と、前記第２ポートと前記第３ポートが前記第１Ｕターン通路を介して連通せしめられ、前記第５ポートと前記第６ポートが前記第２Ｕターン通路を介して連通せしめられ、前記第１ポートと前記第４ポートが前記主弁ハウジング内を通じて連通せしめられる第２連通状態と、を選択的にとり得るようにされていることを特徴としている。
【００１７】
好ましい態様では、前記主弁体は、前記第１Ｕターン通路を有する第１スライド弁体と前記第２Ｕターン通路を有する第２スライド弁体とを備える。
【００１８】
更に好ましい態様では、前記第１ポート、第２ポート、及び第３ポートと前記第４ポート、第５ポート、及び第６ポートとが対向する位置に設けられ、前記第１スライド弁体と前記第２スライド弁体とが、前記第１Ｕターン通路と前記第２Ｕターン通路とが反対向きに開口するように背面合わせの状態で配在される。
【００１９】
更に好ましい態様では、前記第１スライド弁体と前記第２スライド弁体とが、軸線方向に一体的に移動自在、かつ、軸線に対して垂直な方向であって前記第１ポート、第２ポート、及び第３ポートと前記第４ポート、第５ポート、及び第６ポートとが対向する方向に相互に摺動自在とされる。
【００２０】
更に好ましい態様では、前記第１スライド弁体及び前記第２スライド弁体の一方に設けられた筒状部に、前記第１スライド弁体及び前記第２スライド弁体の他方に設けられた嵌合凸部が摺動自在に内嵌されて一体とされる。
【００２１】
他の好ましい態様では、前記第１スライド弁体と前記第２スライド弁体との間に、前記第１スライド弁体と前記第２スライド弁体とを相互に逆方向に付勢する付勢部材が配在される。
【００２２】
別の好ましい態様では、前記第１スライド弁体と前記第２スライド弁体との間に、高圧流体が導入される圧力室が設けられる。
【００２３】
更に好ましい態様では、前記第１Ｕターン通路及び前記第２Ｕターン通路の一方に相対的に高圧の流体が導入され、前記第１Ｕターン通路及び前記第２Ｕターン通路の他方に相対的に低圧の流体が導入されるとともに、前記第１Ｕターン通路及び前記第２Ｕターン通路の一方に導入された高圧流体の一部が前記圧力室に導入されるようにされる。
【００２４】
更に好ましい態様では、軸線に対して垂直な方向で視て、前記第１スライド弁体及び前記第２スライド弁体の一方における前記圧力室側の受圧面積が前記第１ポート、第２ポート、及び第３ポートが設けられた主弁座側の受圧面積より大きくされる。
【００２５】
他の好ましい態様では、前記第１連通状態において、前記第３ポートと前記第６ポートが前記主弁室を介して連通せしめられ、前記第２連通状態において、前記第１ポートと前記第４ポートが前記主弁室を介して連通せしめられる。
【００２６】
更に好ましい態様では、前記主弁室と前記圧力室との間をシールするシール材が配在される。
【００２７】
他の好ましい態様では、前記第１連通状態において、前記第３ポートと前記第６ポートが前記主弁体を貫通して設けられた下側貫通路を介して連通せしめられ、前記第２連通状態において、前記第１ポートと前記第４ポートが前記主弁体を貫通して設けられた上側貫通路を介して連通せしめられる。
【００２８】
更に好ましい態様では、前記下側貫通路及び／又は前記上側貫通路は、通路径が一定のストレート状通路で構成される。
【００２９】
更に好ましい態様では、前記下側貫通路及び／又は前記上側貫通路は、前記第１スライド弁体と前記第２スライド弁体とに跨がる分割連通路とされ、該分割連通路のうちの前記第１スライド弁体側の端部及び前記第２スライド弁体側の端部の一方に大径部が形成されるとともに、他方に前記大径部に挿入される嵌挿筒部が延設され、前記大径部と前記嵌挿筒部との間にシール材が介装される。
【００３０】
更に好ましい態様では、前記主弁室と前記圧力室とが常時連通せしめられる。
【００３１】
他の好ましい態様では、前記主弁ハウジングにおける前記主弁室の一端側及び他端側に、一対の第１及び第２ピストンにより画成される、高圧流体が選択的に導入・排出される容量可変の第１及び第２作動室が設けられ、前記主弁体は、前記第１及び第２ピストンに連動して軸線方向に移動自在に配在されており、前記第１及び第２作動室への高圧流体の導入・排出を制御して前記第１及び第２ピストンを移動させて、前記主弁室内で前記主弁体を移動させるようにされる。
【００３２】
更に好ましい態様では、前記第１ピストンと前記第２ピストンとは、主連結体により一体移動可能に連結され、前記主連結体に、前記主弁体が前記第１及び第２ピストンの往復移動に伴って移動するように連結、嵌合、もしくは係合せしめられる。
【００３３】
別の好ましい態様では、前記主弁ハウジングの一端に、前記第１ピストンの一端方向への移動を阻止するストッパを兼ねる一端側蓋部材が固着され、前記主弁ハウジングの他端に、前記第２ピストンの他端方向への移動を阻止するストッパを兼ねる他端側蓋部材が固着される。
【００３４】
別の好ましい態様では、前記第１及び第２作動室への高圧流体の導入・排出の制御を、前記第１及び第２作動室に設けられたポート、及び、前記六方切換弁の高圧部分と低圧部分とに接続された単一の四方パイロット弁により行うようにされる。
【発明の効果】
【００３５】
本発明に係る六方切換弁では、主弁室に、３個のポートが軸線方向に並んで開口せしめられるとともに、その３個のポートとは軸線周りで異なる位置に、別の３個のポートが軸線方向に並んで開口せしめられ、主弁体内に、少なくとも、３個のポートのうちの２個のポートを選択的に連通させる第１Ｕターン通路と別の３個のポートのうちの２個のポートを選択的に連通させる第２Ｕターン通路とが設けられ、主弁室内で主弁体を移動させることにより、３個のポートのうちの２個のポートが第１Ｕターン通路を介して連通せしめられ、別の３個のポートのうちの２個のポートが第２Ｕターン通路を介して連通せしめられ、３個のポートのうちの他の１個のポートと別の３個のポートのうちの他の１個のポートが主弁ハウジング内を通じて連通せしめられる連通状態（流路）を選択的に複数とり得るようにされている。より具体的には、主弁室に、第１ポート、第２ポート、及び第３ポートが軸線方向に並んで開口せしめられるとともに、第１ポート、第２ポート、及び第３ポートとは軸線周りで異なる位置に、第４ポート、第５ポート、及び第６ポートが軸線方向に並んで開口せしめられ、主弁体内に、少なくとも、第１から第３ポートのうちの２個のポートを選択的に連通させる第１Ｕターン通路と第４から第６ポートのうちの２個のポートを選択的に連通させる第２Ｕターン通路とが設けられ、主弁室内で主弁体を移動させることにより、第１ポートと第２ポートが第１Ｕターン通路を介して連通せしめられ、第４ポートと第５ポートが第２Ｕターン通路を介して連通せしめられ、第３ポートと第６ポートが主弁ハウジング内の主弁室或いは主弁体を貫通して設けられた下側貫通路を介して連通せしめられる第１連通状態と、第２ポートと第３ポートが第１Ｕターン通路を介して連通せしめられ、第５ポートと第６ポートが第２Ｕターン通路を介して連通せしめられ、第１ポートと第４ポートが主弁ハウジング内の主弁室或いは主弁体を貫通して設けられた上側貫通路を介して連通せしめられる第２連通状態と、を選択的にとり得るようにされている。そのため、従来のスライド式主弁体を使用した六方切換弁と比べて、ポートが設けられる主弁座や主弁体を（軸線方向で）短くできるので、主弁座の弁シート面や主弁体のシール面の面精度（平面度）が確保しやすくなり、弁漏れを抑えられるとともに、流体（例えば高圧流体（冷媒））がＵターン通路を介して流されるので、圧力損失を低減することもできる。
【００３６】
上記に加えて、本発明に係る六方切換弁をヒートポンプ式冷暖房システム等の、高温高圧の冷媒と低温低圧の冷媒が流される環境で使用する場合、高温高圧の冷媒が流されるＵターン通路と低温低圧の冷媒が流されるＵターン通路が、例えば金属製の主弁座を介することなく比較的大きく離されて設けられるので、高温高圧の冷媒と低温低圧の冷媒とが金属製の主弁座を介して近接した状態で流される従来のものに比べて、それらの間の熱交換量（つまり、熱損失）を大幅に低減でき、そのため、システムの効率を向上できるという効果も得られる。
【００３７】
また、本発明に係る六方切換弁では、主弁体が、第１Ｕターン通路を有する第１スライド弁体と第２Ｕターン通路を有する第２スライド弁体とが背面合わせの状態で配在され、その第１スライド弁体と第２スライド弁体との間に、高圧流体が導入される圧力室が設けられるので、当該圧力室に導入された高圧流体によって第１スライド弁体と第２スライド弁体とがポートが設けられる主弁座にそれぞれ押し付けられる（圧接せしめられる）とともに、前述のように、高温高圧の冷媒が流されるＵターン通路と低温低圧の冷媒が流されるＵターン通路がさらに大きく離されて設けられるので、これによっても、弁漏れを抑えられるとともに、高温高圧の冷媒と低温低圧の冷媒の間の熱交換量（つまり、熱損失）をさらに大幅に低減できる。
【００３８】
上記した以外の、課題、構成、及び作用効果は、以下の実施形態により明らかにされる。
【図面の簡単な説明】
【００３９】
【図１】本発明に係る六方切換弁の第１実施形態の第１連通状態（冷房運転時）を示す縦断面図。
【図２】本発明に係る六方切換弁の第１実施形態の第２連通状態（暖房運転時）を示す縦断面図。
【図３】図１に示される六方切換弁の要部を拡大して示す要部拡大縦断面図。
【図４】本発明に係る六方切換弁に使用される四方パイロット弁を拡大して示す図であり、（Ａ）は第１連通状態（冷房運転時）（通電ＯＦＦ時）、（Ｂ）は第２連通状態（暖房運転時）（通電ＯＮ時）をそれぞれ示す縦断面図。
【図５】本発明に係る六方切換弁の第２実施形態の第１連通状態（冷房運転時）を示す縦断面図。
【図６】本発明に係る六方切換弁の第２実施形態の第２連通状態（暖房運転時）を示す縦断面図。
【図７】図５のＵ−Ｕ矢視線に従う断面図。
【図８】流路切換弁として六方切換弁が使用されたヒートポンプ式冷暖房システムの一例における、（Ａ）は冷房運転時、（Ｂ）は暖房運転時をそれぞれ示す概略構成図。
【発明を実施するための形態】
【００４０】
以下、本発明の実施形態を図面を参照しながら説明する。
【００４１】
＜第１実施形態＞
図１及び図２は、本発明に係る六方切換弁の第１実施形態を示す縦断面図であり、図１は、第１連通状態（冷房運転時）、図２は、第２連通状態（暖房運転時）を示す図である。
【００４２】
なお、本明細書において、上下、左右、前後等の位置、方向を表わす記述は、説明が煩瑣になるのを避けるために図面に従って便宜上付けたものであり、実際にヒートポンプ式冷暖房システム等に組み込まれた状態での位置、方向を指すとは限らない。
【００４３】
また、各図において、部材間に形成される隙間や部材間の離隔距離等は、発明の理解を容易にするため、また、作図上の便宜を図るため、各構成部材の寸法に比べて大きくあるいは小さく描かれている場合がある。
【００４４】
図示実施形態の六方切換弁１は、例えば前述した図８（Ａ）、（Ｂ）に示されるヒートポンプ式冷暖房システム１００における六方切換弁１８０として用いられるスライド式のもので、基本的に、シリンダ型の六方弁本体１０と、パイロット弁としての単一の電磁式四方パイロット弁９０とを備える。なお、本実施形態の六方切換弁１に備えられている６個のポートは、上記六方切換弁１８０の各ポートｐＡ〜ｐＦに対応させて同一の符号が付されている。
【００４５】
［六方弁本体１０の構成］
六方弁本体１０は、真鍮あるいはステンレス等の金属製とされた筒状の主弁ハウジング１１を有し、この主弁ハウジング１１に、一端側（上端側）から順次、第１作動室３１、第１ピストン２１、主弁室１２、第２ピストン２２、及び第２作動室３２が配在されている。前記第１及び第２ピストン２１、２２にはいずれにも、主弁ハウジング１１を気密的に仕切るべく、主弁ハウジング１１の内周面にその外周部が圧接するばね付きパッキンが取り付けられている。
【００４６】
主弁ハウジング１１の上端には、容量可変の第１作動室３１を画成する第１ピストン２１の上方向への移動を阻止するストッパを兼ねる傘状の上端側蓋部材１１Ａが気密的に固着され、主弁ハウジング１１の下端には、容量可変の第２作動室３２を画成する第２ピストン２２の下方向への移動を阻止するストッパを兼ねる逆立傘状の下端側蓋部材１１Ｂが気密的に固着されている。上端側蓋部材１１Ａ及び下端側蓋部材１１Ｂには、第１作動室３１及び第２作動室３２に高圧流体（冷媒）を導入・排出するためのポートｐ１１、ｐ１２がそれぞれ取り付けられている。
【００４７】
前記主弁ハウジング１１（の主弁室１２）には、合計で６個のポートが設けられている。
【００４８】
詳しくは、前記主弁室１２の左部中央には、その表面（右面）が平坦な弁シート面とされた例えば金属製の第１主弁座（弁シート）１３がろう付け等により主弁ハウジング１１（の内周）に気密的に固着され、その第１主弁座１３の弁シート面に、左方に向けて延びる管継手からなる３個のポート（上端側から順次、ポートｐＢ、ポートｐＡ、ポートｐＦ）が縦並びで（軸線Ｏ方向に並んで）略等間隔に開口せしめられている。
【００４９】
また、前記主弁室１２の右部中央（第１主弁座１３に対向する位置、言い換えれば、軸線Ｏに対して第１主弁座１３の反対側の位置）には、その表面（左面）が平坦な弁シート面とされた例えば金属製の第２主弁座（弁シート）１４がろう付け等により主弁ハウジング１１（の内周）に気密的に固着され、その第２主弁座１４の弁シート面に、右方に向けて延びる管継手からなる３個のポート（上端側から順次、ポートｐＣ、ポートｐＤ、ポートｐＥ）が縦並びで（軸線Ｏ方向に並んで）略等間隔に開口せしめられている。
【００５０】
第１主弁座１３に設けられた各ポート（ポートｐＢ、ポートｐＡ、ポートｐＦ）と第２主弁座１４に設けられた各ポート（ポートｐＣ、ポートｐＤ、ポートｐＥ）とは、対向する位置（軸線Ｏに対して反対側）に設定されるとともに、本例では、第１主弁座１３及び第２主弁座１４に設けられた各ポートｐＡ〜ｐＦの口径は略同径に設定されている。
【００５１】
前記主弁室１２内には、両側面（左面及び右面）が前記第１主弁座１３及び第２主弁座１４の弁シート面にそれぞれ摺動自在に対接せしめられる、レーストラック形の環状シール面を持つ断面矩形状のスライド式の主弁体１５が軸線Ｏ方向（上下方向）に移動可能に配在されている。
【００５２】
前記主弁体１５は、例えば合成樹脂製とされ、第１主弁座１３側（左側）の第１スライド弁体１５Ａと、第２主弁座１４側（右側）の第２スライド弁体１５Ｂとが、背面合わせの状態で配在されて構成されている。
【００５３】
第１スライド弁体１５Ａの左面側（第２スライド弁体１５Ｂ側とは反対側）には、第１主弁座１３の弁シート面に開口する３個のポートのうちの隣り合う２個のポート（ポートｐＢとポートｐＡ、あるいは、ポートｐＡとポートｐＦ）を選択的に連通させ得るような大きさの椀状窪みからなる第１Ｕターン通路（連通路）１６Ａが開設されている。また、第２スライド弁体１５Ｂの右面側（第１スライド弁体１５Ａ側とは反対側）には、第２主弁座１４の弁シート面に開口する３個のポートのうちの隣り合う２個のポート（ポートｐＣとポートｐＤ、あるいは、ポートｐＤとポートｐＥ）を選択的に連通させ得るような大きさの椀状窪みからなる第２Ｕターン通路（連通路）１６Ｂが開設されている。
【００５４】
一方、第２スライド弁体１５Ｂの左面（第１スライド弁体１５Ａに対向する面）には、該第２スライド弁体１５Ｂの外形とほぼ同形の筒状部１５ｂが（左向きに）延設され、第１スライド弁体１５Ａの右面（第２スライド弁体１５Ｂに対向する面）には、該第１スライド弁体１５Ａの外形（言い換えれば、第２スライド弁体１５Ｂの外形）より若干小さい筒状の嵌合凸部１５ａが（右向きに）突設されている。前記嵌合凸部１５ａが前記筒状部１５ｂに（間にＯリング１８を挟んで）摺動自在に内嵌されることにより、第１スライド弁体１５Ａと第２スライド弁体１５Ｂとは、左右方向（軸線Ｏに対して垂直な方向であって第１主弁座１３に設けられた各ポート（ポートｐＢ、ポートｐＡ、ポートｐＦ）と第２主弁座１４に設けられた各ポート（ポートｐＣ、ポートｐＤ、ポートｐＥ）とが対向する方向）に相互に若干の移動自在、かつ、上下方向（軸線Ｏ方向）に一体的に移動自在とされている。
【００５５】
なお、第１スライド弁体１５Ａの嵌合凸部１５ａと第２スライド弁体１５Ｂの筒状部１５ｂとの配置関係は逆でも良い。つまり、第１スライド弁体１５Ａに筒状部を設け、第２スライド弁体１５Ｂに嵌合凸部を設け、第１スライド弁体１５Ａの筒状部に第２スライド弁体１５Ｂの嵌合凸部を内嵌して、当該第１スライド弁体１５Ａと第２スライド弁体１５Ｂとを一体としても良い。
【００５６】
また、図示例では、第１スライド弁体１５Ａの右面（における嵌合凸部１５ａより内側の部分）と第２スライド弁体１５Ｂの左面（における嵌合凸部１５ａより内側の部分）との間に、若干の隙間が形成されるとともに、第１スライド弁体１５Ａ（における第１Ｕターン通路１６Ａの底部）に、第１Ｕターン通路１６Ａと前記隙間とを連通する横孔からなる連通孔１６ａが設けられており、前記嵌合凸部１５ａと前記筒状部１５ｂとの間に（具体的には、嵌合凸部１５ａの外周に設けられた環状溝に）、シール材としてのＯリング１８が介装されている。
【００５７】
そのため、前記隙間を含む前記Ｏリング１８より内側の部分は、ポート（吐出側高圧ポート）ｐＡから第１Ｕターン通路１６Ａ及び連通孔１６ａを介して高圧流体（冷媒）が導入される圧力室１７とされている。この圧力室１７と主弁室１２とは、その間に配在された前記Ｏリング１８によりシール（封止）されている。
【００５８】
ここでは、図１及び図２とともに図３を参照すればよく分かるように、左右方向（軸線Ｏに対して垂直な方向）で視て、第１スライド弁体１５Ａにおける圧力室１７側（右面側）の受圧面積Ｓｂは第１主弁座１３側（左面側）の受圧面積Ｓａより大きくされる。
【００５９】
より詳しくは、左右方向に対して垂直な平面に対する前記圧力室１７の投影面積であって、前記圧力室１７内に導入された高圧冷媒によって第１スライド弁体１５Ａ（の右面）が左方向の圧力を受ける面の投影面積（受圧面積Ｓｂ）が、左右方向に対して垂直な平面に対する前記第１主弁座１３側の環状シール面の投影面積であって、ポート（環状シール面の内側）を流れる高圧冷媒によって第１スライド弁体１５Ａ（の左面）が右方向の圧力を受ける面の投影面積（受圧面積Ｓａ）より大きくされている。
【００６０】
これにより、ポート（吐出側高圧ポート）ｐＡを介して第１Ｕターン通路１６Ａに高圧冷媒が導入され、該第１Ｕターン通路１６Ａに導入された高圧冷媒の一部が前記連通孔１６ａを介して圧力室１７に充填されたときに、圧力室１７（の高圧冷媒）から受ける圧力（より詳細には、圧力室１７（の高圧冷媒）から受ける圧力と第２Ｕターン通路１６Ｂを流れる冷媒（低圧冷媒）から受ける圧力との差圧）によって、第２スライド弁体１５Ｂの右面（の環状シール面）が第２主弁座１４の弁シート面に押し付けられるとともに、圧力室１７（の高圧冷媒）から受ける圧力と第１Ｕターン通路１６Ａを流れる冷媒（高圧冷媒）から受ける圧力との差圧によって、第１スライド弁体１５Ａの左面（の環状シール面）が第１主弁座１３の弁シート面に押し付けられるようになっている。
【００６１】
また、本例では、第１スライド弁体１５Ａの右面と第２スライド弁体１５Ｂの左面の各々に、複数のばね受け穴１９ａ、１９ｂが形成され、そのばね受け穴１９ａ、１９ｂに、第１スライド弁体１５Ａと第２スライド弁体１５Ｂとを相互に逆方向（引き離す方向）に付勢する圧縮コイルばね（付勢部材）１９が縮装されており（図示例では、第１スライド弁体１５Ａの右面と第２スライド弁体１５Ｂの左面との間の上下２箇所に圧縮コイルばね１９が装填されており）、これによっても、第１スライド弁体１５Ａの左面（の環状シール面）は第１主弁座１３の弁シート面に圧接せしめられる（押し付けられる）とともに、第２スライド弁体１５Ｂの右面（の環状シール面）は第２主弁座１４の弁シート面に圧接せしめられる（押し付けられる）。
【００６２】
なお、本例では、第１スライド弁体１５Ａの第１Ｕターン通路１６Ａ及び第２スライド弁体１５Ｂの第２Ｕターン通路１６Ｂの略中央に、形状保持のための補強ピン１５ｃ、１５ｄが前後方向に向けて架設されている。
【００６３】
前記主弁体１５は、前述のように、第１スライド弁体１５Ａと第２スライド弁体１５Ｂとが一体となって軸線Ｏ方向に移動せしめられ、図１に示される如くの、ポートｐＦを開きかつポートｐＢとポートｐＡとを第１スライド弁体１５Ａの第１Ｕターン通路１６Ａを介して連通させるとともに、ポートｐＥを開きかつポートｐＣとポートｐＤとを第２スライド弁体１５Ｂの第２Ｕターン通路１６Ｂを介して連通させる冷房位置（上端位置）と、図２に示される如くの、ポートｐＢを開きかつポートｐＡとポートｐＦとを第１スライド弁体１５Ａの第１Ｕターン通路１６Ａを介して連通させるとともに、ポートｐＣを開きかつポートｐＤとポートｐＥとを第２スライド弁体１５Ｂの第２Ｕターン通路１６Ｂを介して連通させる暖房位置（下端位置）とを選択的にとり得るようにされている。
【００６４】
主弁体１５の第１スライド弁体１５Ａは、移動時以外は３個のポートのうちの２個のポート（ポートｐＢとポートｐＡ、あるいは、ポートｐＡとポートｐＦ）の真上に位置し、主弁体１５の第２スライド弁体１５Ｂは、移動時以外は３個のポートのうちの２個のポート（ポートｐＣとポートｐＤ、あるいは、ポートｐＤとポートｐＥ）の真上に位置し、このときは、第１スライド弁体１５Ａと第２スライド弁体１５Ｂとの間に設けられた圧力室１７（に導入された高圧冷媒）からの圧力や圧縮コイルばね１９の付勢力によりそれぞれ左右に押圧されて第１主弁座１３及び第２主弁座１４の弁シート面に圧接せしめられている。
【００６５】
第１ピストン２１と第２ピストン２２とは、例えば縦長矩形板状の主連結体２５により一体移動可能に連結されている。主連結体２５には、主弁体１５の第１スライド弁体１５Ａと第２スライド弁体１５Ｂとが左右側から摺動自在に嵌合せしめられる（より具体的には、第２スライド弁体１５Ｂの筒状部１５ｂが摺動自在に内接するように嵌合せしめられる）例えば角丸矩形の主開口２５ａが形成されており、主弁体１５は、第１及び第２ピストン２１、２２の往復移動に伴って前記主連結体２５の主開口２５ａ部分に押動されて（ここでは、前記第２スライド弁体１５Ｂの筒状部１５ｂ部分が押圧されて）冷房位置（上端位置）と暖房位置（下端位置）との間を行き来するようにされている。
【００６６】
また、主連結体２５には、前記主開口２５ａの上下、すなわち、主弁体１５が冷房位置（上端位置）をとるときに第１主弁座１３の下側のポートｐＦと第２主弁座１４の下側のポートｐＥの略真横に位置する部位に円形開口２５ｂが形成されるとともに、主弁体１５が暖房位置（下端位置）をとるときに第１主弁座１３の上側のポートｐＢと第２主弁座１４の上側のポートｐＣの略真横に位置する部位に円形開口２５ｃが形成されている。
【００６７】
［六方弁本体１０の動作］
次に、上記した如くの構成を有する六方弁本体１０の動作を説明する。
【００６８】
主弁ハウジング１１内に配在された主弁体１５が暖房位置（下端位置）（図２に示される如くの第２連通状態）にあるときにおいて、後述する四方パイロット弁９０を介して、第２作動室３２を吐出側高圧ポートであるポートｐＡに連通させるとともに、第１作動室３１を吸入側低圧ポートであるポートｐＤに連通させると、第２作動室３２に高温高圧の冷媒が導入されるとともに、第１作動室３１から高温高圧の冷媒が排出される。そのため、主弁室１２の他端側（下端側）の第２作動室３２の圧力が主弁室１２の一端側（上端側）の第１作動室３１の圧力より高くなり、図１に示される如くに、第１、第２ピストン２１、２２及び主弁体１５が上方に移動して第１ピストン２１が上端側蓋部材１１Ａに接当係止され、主弁体１５が冷房位置（上端位置）（図１に示される如くの第１連通状態）をとる。
【００６９】
これにより、ポートｐＡとポートｐＢとが（第１Ｕターン通路１６Ａを介して）連通せしめられ、ポートｐＣとポートｐＤとが（第２Ｕターン通路１６Ｂを介して）連通せしめられ、ポートｐＥとポートｐＦとが（主弁室１２を介して）連通せしめられるので、図８（Ａ）、（Ｂ）に示される如くのヒートポンプ式冷暖房システム１００において、冷房運転が行われる。
【００７０】
主弁体１５が冷房位置（上端位置）（図１に示される如くの第１連通状態）にあるときにおいて、後述する四方パイロット弁９０を介して、第１作動室３１を吐出側高圧ポートであるポートｐＡに連通させるとともに、第２作動室３２を吸入側低圧ポートであるポートｐＤに連通させると、第１作動室３１に高温高圧の冷媒が導入されるとともに、第２作動室３２から高温高圧の冷媒が排出される。そのため、主弁室１２の一端側（上端側）の第１作動室３１の圧力が主弁室１２の他端側（下端側）の第２作動室３２の圧力より高くなり、図２に示される如くに、第１、第２ピストン２１、２２及び主弁体１５が下方に移動して第２ピストン２２が下端側蓋部材１１Ｂに接当係止され、主弁体１５が暖房位置（下端位置）（図２に示される如くの第２連通状態）をとる。
【００７１】
これにより、ポートｐＡとポートｐＦとが（第１Ｕターン通路１６Ａを介して）連通せしめられ、ポートｐＥとポートｐＤとが（第２Ｕターン通路１６Ｂを介して）連通せしめられ、ポートｐＣとポートｐＢとが（主弁室１２を介して）連通せしめられるので、図８（Ａ）、（Ｂ）に示される如くのヒートポンプ式冷暖房システム１００において、暖房運転が行われる。
【００７２】
［四方パイロット弁９０の構成］
パイロット弁としての四方パイロット弁９０は、その構造自体はよく知られているもので、図４（Ａ）、（Ｂ）に拡大図示されている如くに、基端側（左端側）外周に電磁コイル９１が外嵌固定された円筒状のストレートパイプからなる弁ケース９２を有し、該弁ケース９２に、基端側から順次、吸引子９５、圧縮コイルばね９６、プランジャ９７が直列的に配在されている。
【００７３】
弁ケース９２の左端部は、吸引子９５の鍔状部（外周段丘部）に溶接等により密封接合されており、吸引子９５は、通電励磁用の電磁コイル９１の外周を覆うカバーケース９１Ａにボルト９２Ｂにより締結固定されている。
【００７４】
一方、弁ケース９２の右端開口部には、高圧冷媒を導入するための細管挿着口（高圧導入ポートａ）を有するフィルタ付き蓋部材９８が溶接、ろう付け、かしめ等により気密的に取着されており、蓋部材９８とプランジャ９７と弁ケース９２とで囲まれる領域が弁室９９となっている。弁室９９には、蓋部材９８の細管挿着口（高圧導入ポートａ）に気密的に挿着された可撓性を有する高圧細管＃ａを介して前記ポート（吐出側高圧ポート）ｐＡから高温高圧の冷媒が導入されるようになっている。
【００７５】
また、弁ケース９２におけるプランジャ９７と蓋部材９８との間には、その内端面が平坦な弁シート面とされた弁座９３がろう付け等により気密的に接合されており、この弁座９３の弁シート面（内端面）には、先端側（右端側）から順次、前記した六方弁本体１０の第１作動室３１に細管＃ｂを介して接続されるポートｂ、ポート（吸入側低圧ポート）ｐＤに細管＃ｃを介して接続されるポートｃ、第２作動室３２に細管＃ｄを介して接続されるポートｄが弁ケース９２の長手方向（左右方向）に沿って所定間隔をあけて横並びに開口せしめられている。
【００７６】
吸引子９５に対向配置されたプランジャ９７は、基本的には円柱状とされ、弁ケース９２内を軸方向（弁ケース９２の中心線Ｌに沿う方向）に摺動自在に配在されている。そのプランジャ９７の吸引子９５側とは反対側の端部には、弁体９４をその自由端側で厚み方向に摺動可能に保持する弁体ホルダ９４Ａがその基端部を取付具９４Ｂと共に圧入、かしめ等により取付固定されている。この弁体ホルダ９４Ａには、弁体９４を弁座９３に押し付ける方向（厚み方向）に付勢する板ばね９４Ｃが取り付けられている。弁体９４は、弁座９３の弁シート面に開口するポートｂ、ｃ、ｄ間の連通状態を切り換えるべく、当該弁座９３の弁シート面に対接せしめられた状態で、弁座９３の弁シート面をプランジャ９７の左右方向の移動に伴って摺動するようになっている。
【００７７】
また、弁体９４には、弁座９３の弁シート面に開口する３個のポートｂ〜ｄのうちの隣り合うポートｂ−ｃ間、ｃ−ｄ間を選択的に連通させ得るような大きさの凹部９４ａが設けられている。
【００７８】
また、圧縮コイルばね９６は、吸引子９５とプランジャ９７との間に縮装されてプランジャ９７を吸引子９５から引き離す方向（図では、右方）に付勢するようになっているが、本例では、弁座９３（の左端部）が、プランジャ９７の右方への移動を阻止するストッパとされている。なお、このストッパの構成としては、その他の構成を採用し得ることは言うまでも無い。
【００７９】
なお、上記四方パイロット弁９０は、取付具９２Ａを介して六方弁本体１０の背面側等の適宜の箇所に取付けられる。
【００８０】
［四方パイロット弁９０の動作］
上記した如くの構成とされた四方パイロット弁９０においては、電磁コイル９１への通電ＯＦＦ時には、図１及び図４（Ａ）に示される如くに、プランジャ９７は圧縮コイルばね９６の付勢力により、その右端が弁座９３に接当する位置まで押し動かされている。この状態では、弁体９４がポートｂとポートｃ上に位置し、その凹部９４ａによりポートｂとポートｃが連通するとともに、ポートｄと弁室９９とが連通するので、ポート（吐出側高圧ポート）ｐＡに流入する高圧流体が高圧細管＃ａ→弁室９９→ポートｄ→細管＃ｄ→ポートｐ１２を介して第２作動室３２に導入されるとともに、第１作動室３１の高圧流体がポートｐ１１→細管＃ｂ→ポートｂ→凹部９４ａ→ポートｃ→細管＃ｃ→ポート（吸入側低圧ポート）ｐＤへと流れて排出される。
【００８１】
それに対し、電磁コイル９１への通電をＯＮにすると、図２及び図４（Ｂ）に示される如くに、プランジャ９７は吸引子９５の吸引力により、その左端が吸引子９５に接当する位置まで（圧縮コイルばね９６の付勢力に抗して）引き寄せられる。このときには、弁体９４がポートｃとポートｄ上に位置し、その凹部９４ａによりポートｃとポートｄが連通するとともに、ポートｂと弁室９９とが連通するので、ポート（吐出側高圧ポート）ｐＡに流入する高圧流体が高圧細管＃ａ→弁室９９→ポートｂ→細管＃ｂ→ポートｐ１１を介して第１作動室３１に導入されるとともに、第２作動室３２の高圧流体がポートｐ１２→細管＃ｄ→ポートｄ→凹部９４ａ→ポートｃ→細管＃ｃ→ポート（吸入側低圧ポート）ｐＤへと流れて排出される。
【００８２】
したがって、電磁コイル９１への通電をＯＦＦにすると、六方弁本体１０の主弁体１５が暖房位置（第２連通状態）から冷房位置（第１連通状態）に移行し、前記した如くの流路切換が行われる一方、電磁コイル９１への通電をＯＮにすると、六方弁本体１０の主弁体１５が冷房位置（第１連通状態）から暖房位置（第２連通状態）に移行し、前記した如くの流路切換が行われる。
【００８３】
このように、本実施形態の六方切換弁１では、電磁式四方パイロット弁９０への通電をＯＮ／ＯＦＦで切り換えることで、六方切換弁１内を流通する高圧流体（高圧部分であるポートｐＡを流れる流体）と低圧流体（低圧部分であるポートｐＤを流れる流体）との差圧を利用して六方弁本体１０を構成する主弁体１５を主弁室１２内で移動させることにより、主弁ハウジング１１に合計で６個設けられたポート間の連通状態が切り換えられ、図８（Ａ）、（Ｂ）に示される如くのヒートポンプ式冷暖房システム１００において、暖房運転から冷房運転への切り換え、及び、冷房運転から暖房運転への切り換えを行うことができる。
【００８４】
［六方切換弁１の作用効果］
以上の説明から理解されるように、本実施形態の六方切換弁１においては、主弁室１２に、ポートｐＢ、ポートｐＡ、及びポートｐＦが軸線Ｏ方向に並んで開口せしめられるとともに、ポートｐＢ、ポートｐＡ、及びポートｐＦとは軸線Ｏ周りで異なる位置に、ポートｐＣ、ポートｐＤ、及びポートｐＥが軸線Ｏ方向に並んで開口せしめられ、主弁体１５内に、第１Ｕターン通路１６Ａと第２Ｕターン通路１６Ｂとが設けられ、主弁室１２内で主弁体１５を移動させることにより、ポートｐＡとポートｐＢが第１Ｕターン通路１６Ａを介して連通せしめられ、ポートｐＣとポートｐＤが第２Ｕターン通路１６Ｂを介して連通せしめられ、ポートｐＥとポートｐＦが主弁室１２を介して連通せしめられる第１連通状態と、ポートｐＡとポートｐＦが第１Ｕターン通路１６Ａを介して連通せしめられ、ポートｐＥとポートｐＤが第２Ｕターン通路１６Ｂを介して連通せしめられ、ポートｐＣとポートｐＢとが主弁室１２を介して連通せしめられる第２連通状態と、を選択的にとり得るようにされている。そのため、従来のスライド式主弁体を使用した六方切換弁と比べて、ポートが設けられる主弁座（第１主弁座１３及び第２主弁座１４）や主弁体１５を（軸線Ｏ方向で）短くできるので、主弁座（第１主弁座１３及び第２主弁座１４）の弁シート面や主弁体１５のシール面の面精度（平面度）が確保しやすくなり、弁漏れを抑えられるとともに、流体（例えば高圧流体（冷媒））が第１Ｕターン通路１６Ａを介して流されるので、圧力損失を低減することもできる。
【００８５】
また、本実施形態では、六方弁本体１０内を流れる流体（例えば低圧冷媒）が第２Ｕターン通路１６Ｂを介して流されるとともに、流体（例えば中圧冷媒）が主弁室１２内を左右方向に（ストレート状に）流されるので、これによっても、圧力損失を低減することが可能となる。
【００８６】
上記に加えて、本発明に係る六方切換弁１をヒートポンプ式冷暖房システム等の、高温高圧の冷媒と低温低圧の冷媒が流される環境で使用する場合、高温高圧の冷媒が流される第１Ｕターン通路１６Ａと低温低圧の冷媒が流される第２Ｕターン通路１６Ｂが、例えば金属製の主弁座を介することなく比較的大きく離されて設けられるので、高温高圧の冷媒と低温低圧の冷媒とが金属製の主弁座を介して近接した状態で流される従来のものに比べて、それらの間の熱交換量（つまり、熱損失）を大幅に低減でき、そのため、システムの効率を向上できるという効果も得られる。
【００８７】
また、本発明に係る六方切換弁１では、主弁体１５が、第１Ｕターン通路１６Ａを有する第１スライド弁体１５Ａと第２Ｕターン通路１６Ｂを有する第２スライド弁体１５Ｂとが第１Ｕターン通路１６Ａと第２Ｕターン通路１６Ｂとが反対向きに開口するように（言い換えれば、摺動面である環状シール面同士が逆向きになるように）背面合わせの状態で配在され、その第１スライド弁体１５Ａと第２スライド弁体１５Ｂとの間に、高圧流体が導入される圧力室１７が設けられるので、当該圧力室１７に導入された高圧流体によって第１スライド弁体１５Ａと第２スライド弁体１５Ｂとがポートが設けられる第１主弁座１３及び第２主弁座１４にそれぞれ押し付けられる（圧接せしめられる）とともに、前述のように、高温高圧の冷媒が流される第１Ｕターン通路１６Ａと低温低圧の冷媒が流される第２Ｕターン通路１６Ｂが（前記圧力室１７分だけ）さらに大きく離されて設けられるので、これによっても、弁漏れを抑えられるとともに、高温高圧の冷媒と低温低圧の冷媒の間の熱交換量（つまり、熱損失）をさらに大幅に低減できる。
【００８８】
＜第２実施形態＞
図５及び図６は、本発明に係る六方切換弁の第２実施形態を示す縦断面図であり、図５は、第１連通状態（冷房運転時）、図６は、第２連通状態（暖房運転時）を示す図である。
【００８９】
図示第２実施形態の六方切換弁２は、前述した第１実施形態の六方切換弁１に対し、主に六方弁本体を構成する主弁体の構成が相違しており、その他の構成は略同じであるので、六方切換弁１の各部に対応する部分には共通の符号を付して重複説明を省略し、以下においては、相違点を重点的に説明する。
【００９０】
図示実施形態の六方切換弁２は、第１実施形態の六方切換弁１と同様、例えば前述した図８（Ａ）、（Ｂ）に示されるヒートポンプ式冷暖房システム１００における六方切換弁１８０として用いられるスライド式のものであるが、本例では、上記第１実施形態の六方切換弁１と比べて、六方弁本体１０を構成する主弁ハウジング１１（主弁室１２）、主弁ハウジング１１に固着された第１主弁座１３及び第２主弁座２３、主弁室１２内に移動可能に配在されたスライド式の主弁体１５等が、上下（軸線Ｏ方向）に若干長く形成されている。
【００９１】
前記主弁体１５は、上記第１実施形態の六方切換弁１と同様、第１主弁座１３側（左側）の第１スライド弁体１５Ａと、第２主弁座１４側（右側）の第２スライド弁体１５Ｂとが、背面合わせの状態で配在された二分割構成となっており、第１スライド弁体１５Ａの左面側中央に第１Ｕターン通路１６Ａが開設されるとともに、第２スライド弁体１５Ｂの右面側中央に第２Ｕターン通路１６Ｂが開設されている。
【００９２】
上記に加えて、本実施形態では、前記主弁体１５における第１Ｕターン通路１６Ａと第２Ｕターン通路１６Ｂの下側及び上側に（言い換えれば、第１Ｕターン通路１６Ａと第２Ｕターン通路１６Ｂを挟んで）、図５に示される如くの冷房位置（上端位置）をとるときにポートｐＥとポートｐＦとを連通させ得る下側貫通路（連通路）５２と、図６に示される如くの暖房位置（下端位置）をとるときにポートｐＣとポートｐＢとを連通させ得る上側貫通路（連通路）５１とがそれぞれ設けられている。
【００９３】
前記上側貫通路５１及び下側貫通路５２は、主弁体１５を左右方向（軸線Ｏに対して垂直な方向）に貫通するように設けられており、ここでは、通路径（内径）が一定かつ各ポートｐＡ〜ｐＥの口径と略同じストレート状通路とされている。
【００９４】
詳細には、主弁体１５の左部を構成する第１スライド弁体１５Ａには、第１Ｕターン通路１６Ａの上下に、左右方向に向けて各ポートｐＡ〜ｐＥの口径と略同径の第１上側貫通路部５１Ａ及び第１下側貫通路部５２Ａがそれぞれ開設されている。主弁体１５（の第１スライド弁体１５Ａ）が冷房位置（上端位置）にあるときには、第１上側貫通路部５１Ａの左面開口が第１主弁座１３（の上側部分）に対接せしめられて閉塞されるとともに、第１Ｕターン通路１６ＡがポートｐＢ及びポートｐＡの真横に位置し、第１下側貫通路部５２Ａの左面開口がポートｐＦの真横に位置し、主弁体１５（の第１スライド弁体１５Ａ）が暖房位置（下端位置）にあるときには、第１下側貫通路部５２Ａの左面開口が第１主弁座１３（の下側部分）に対接せしめられて閉塞されるとともに、第１Ｕターン通路１６ＡがポートｐＡ及びポートｐＦの真横に位置し、第１上側貫通路部５１Ａの左面開口がポートｐＢの真横に位置するように、各部の寸法形状が設定されている。
【００９５】
また、主弁体１５の右部を構成する第２スライド弁体１５Ｂには、第２Ｕターン通路１６Ｂの上下に、左右方向に向けて前記第１上側貫通路部５１Ａ及び第１下側貫通路部５２Ａと同径（同じ通路径）の第２上側貫通路部５１Ｂ及び第２下側貫通路部５２Ｂがそれぞれ開設されている。この第２上側貫通路部５１Ｂ及び第２下側貫通路部５２Ｂは、前記第１スライド弁体１５Ａの第１上側貫通路部５１Ａ及び第１下側貫通路部５２Ａの真横に位置している。主弁体１５（の第２スライド弁体１５Ｂ）が冷房位置（上端位置）にあるときには、第２上側貫通路部５１Ｂの右面開口が第２主弁座１４（の上側部分）に対接せしめられて閉塞されるとともに、第２Ｕターン通路１６ＢがポートｐＣ及びポートｐＤの真横に位置し、第２下側貫通路部５２Ｂの右面開口がポートｐＥの真横に位置し、主弁体１５（の第２スライド弁体１５Ｂ）が暖房位置（下端位置）にあるときには、第２下側貫通路部５２Ｂの右面開口が第２主弁座１４（の下側部分）に対接せしめられて閉塞されるとともに、第２Ｕターン通路１６ＢがポートｐＤ及びポートｐＥの真横に位置し、第２上側貫通路部５１Ｂの右面開口がポートｐＣの真横に位置するように、各部の寸法形状が設定されている。
【００９６】
第１スライド弁体１５Ａと第２スライド弁体１５Ｂの２つの部材を合わせて、第１上側貫通路部５１Ａ及び第２上側貫通路部５１Ｂで構成される直線状の上側貫通路（連通路）５１並びに第１下側貫通路部５２Ａ及び第２下側貫通路部５２Ｂで構成される直線状の下側貫通路（連通路）５２が形成される。
【００９７】
また、上側貫通路５１と下側貫通路５２は、前述の如くに、主弁体１５の第１スライド弁体１５Ａと第２スライド弁体１５Ｂとに跨がる分割連通路となっているので、シール性を確保すべく、次のような方策が講じられている。すなわち、上側貫通路５１を代表して説明するに、上側貫通路５１を構成する第２スライド弁体１５Ｂの第２上側貫通路部５１Ｂの左端部（の内周部分）に大径部５４が形成されるとともに、第１スライド弁体１５Ａの第１上側貫通路部５１Ａの右端部に、前記大径部５４に摺動自在に挿入される円筒状の嵌挿筒部５３が延設され、大径部５４と嵌挿筒部５３との間（具体的には、嵌挿筒部５３の外周に設けられた環状溝）に、シール材としてのＯリング５５が（圧縮状態で）介装されている。下側貫通路５２も同様な構成となっている。
【００９８】
本実施形態では、主弁体１５の上部に設けられた上側貫通路５１と主弁体１５の下部に設けられた下側貫通路５２において、前記嵌挿筒部５３が前記大径部５４に（間にＯリング５５を挟んで）摺動自在に内嵌されることにより、上記第１実施形態と同様、第１スライド弁体１５Ａと第２スライド弁体１５Ｂとは、左右方向（軸線Ｏに対して垂直な方向）に相互に若干の移動自在、かつ、上下方向（軸線Ｏ方向）に一体的に移動自在とされている。
【００９９】
なお、第１スライド弁体１５Ａの嵌挿筒部５３と第２スライド弁体１５Ｂの大径部５４との配置関係は逆でも良い。つまり、第１スライド弁体１５Ａに大径部を設け、第２スライド弁体１５Ｂに円筒状の嵌挿筒部を設け、第１スライド弁体１５Ａの大径部に第２スライド弁体１５Ｂの嵌挿筒部を内嵌して、当該第１スライド弁体１５Ａと第２スライド弁体１５Ｂとを一体としても良い。
【０１００】
また、本実施形態では、第１スライド弁体１５Ａの右面中央（上下の嵌挿筒部５３の間の部分）と第２スライド弁体１５Ｂの左面中央（上下の大径部５４の間の部分）との間に、若干の隙間が形成されるとともに、第１スライド弁体１５Ａ（における第１Ｕターン通路１６Ａの底部）に、第１Ｕターン通路１６Ａと前記隙間とを連通する横孔からなる連通孔１６ａが設けられており、前記隙間を含む部分（つまり、主弁体１５の中央部分）は、ポート（吐出側高圧ポート）ｐＡから第１Ｕターン通路１６Ａ及び連通孔１６ａを介して高圧流体（冷媒）が導入される圧力室１７となっているが、図７を参照すればよく分かるように、圧力室１７と主弁室１２とは常時連通している。
【０１０１】
すなわち、上記第１実施形態では、Ｏリング１８によって圧力室１７が主弁室１２から封止され、主弁室１２は、ポートｐＥもしくはポートｐＣから導入される中圧流体（冷媒）で満たされることになるが、本第２実施形態では、圧力室１７と主弁室１２とが常時連通しており、主弁室１２は、圧力室１７を介して導入される高圧流体（冷媒）で満たされることになる。
【０１０２】
本例でも、上記第１実施形態と同様、左右方向（軸線Ｏに対して垂直な方向）で視て、第１スライド弁体１５Ａにおける圧力室１７側（右面側）の受圧面積Ｓｂは第１主弁座１３側（左面側）の受圧面積Ｓａより大きくされるとともに、第１スライド弁体１５Ａと第２スライド弁体１５Ｂとの間に、それらを相互に逆方向に付勢する圧縮コイルばね１９が縮装されており、これによって、第１スライド弁体１５Ａの左面（の環状シール面）が第１主弁座１３の弁シート面に圧接せしめられる（押し付けられる）とともに、第２スライド弁体１５Ｂの右面（の環状シール面）が第２主弁座１４の弁シート面に圧接せしめられる（押し付けられる）。ただし、本例では、主弁室１２が、圧力室１７を介して導入される高圧流体（冷媒）で満たされており、第１スライド弁体１５Ａと第２スライド弁体１５Ｂとが全面（主弁室１２に露出する面）で高圧を受けることになるので、第１スライド弁体１５Ａの左面（の環状シール面）が第１主弁座１３の弁シート面により強く圧接せしめられるとともに、第２スライド弁体１５Ｂの右面（の環状シール面）が第２主弁座１４の弁シート面により強く圧接せしめられる。
【０１０３】
前記主弁体１５は、前述のように、第１スライド弁体１５Ａと第２スライド弁体１５Ｂとが一体となって軸線Ｏ方向に移動せしめられ、図５に示される如くの、ポートｐＢとポートｐＡとを第１スライド弁体１５Ａの第１Ｕターン通路１６Ａを介して連通させ、ポートｐＣとポートｐＤとを第２スライド弁体１５Ｂの第２Ｕターン通路１６Ｂを介して連通させるとともに、ポートｐＦとポートｐＥとを下側貫通路５２（第１スライド弁体１５Ａの第１下側貫通路部５２Ａ及び第２スライド弁体１５Ｂの第２下側貫通路部５２Ｂ）を介して連通させる冷房位置（上端位置）と、図６に示される如くの、ポートｐＡとポートｐＦとを第１スライド弁体１５Ａの第１Ｕターン通路１６Ａを介して連通させ、ポートｐＤとポートｐＥとを第２スライド弁体１５Ｂの第２Ｕターン通路１６Ｂを介して連通させるとともに、ポートｐＢとポートｐＣとを上側貫通路５１（第１スライド弁体１５Ａの第１上側貫通路部５１Ａ及び第２スライド弁体１５Ｂの第２上側貫通路部５１Ｂ）を介して連通させる暖房位置（下端位置）とを選択的にとり得るようにされている。
【０１０４】
主弁体１５の第１スライド弁体１５Ａは、３個のポート（ポートｐＢ、ポートｐＡ、ポートｐＦ）の真上に位置し、主弁体１５の第２スライド弁体１５Ｂは、３個のポート（ポートｐＣ、ポートｐＤ、ポートｐＥ）の真上に位置し、第１スライド弁体１５Ａと第２スライド弁体１５Ｂとの間に設けられた圧力室１７（に導入された高圧冷媒）からの圧力や圧縮コイルばね１９の付勢力、主弁室１２（に導入された高圧冷媒）からの圧力によりそれぞれ左右に押圧されて第１主弁座１３及び第２主弁座１４の弁シート面に圧接せしめられている。
【０１０５】
なお、本例では、主弁体１５が冷房位置（上端位置）をとるときに第１主弁座１３の下側のポートｐＦと第２主弁座１４の下側のポートｐＥとは主弁体１５内に設けられた下側貫通路５２を介して連通し、主弁体１５が暖房位置（下端位置）をとるときに第１主弁座１３の上側のポートｐＢと第２主弁座１４の上側のポートｐＣとは主弁体１５内に設けられた上側貫通路５１を介して連通するので、第１ピストン２１と第２ピストン２２とを連結する主連結体２５において、上記第１実施形態における円形開口２５ｂ、２５ｃは省略されている。
【０１０６】
上記した如くの構成を有する六方弁本体１０では、主弁ハウジング１１内に配在された主弁体１５が暖房位置（下端位置）（図６に示される如くの第２連通状態）にあるときにおいて、上記第１実施形態と同様の構成を有する四方パイロット弁９０を制御する（すなわち、四方パイロット弁９０の電磁コイル９１への通電をＯＦＦにする）と、主弁体１５が冷房位置（上端位置）（図５に示される如くの第１連通状態）をとる。
【０１０７】
これにより、ポートｐＡとポートｐＢとが（第１Ｕターン通路１６Ａを介して）連通せしめられ、ポートｐＣとポートｐＤとが（第２Ｕターン通路１６Ｂを介して）連通せしめられ、ポートｐＥとポートｐＦとが（下側貫通路５２を介して）連通せしめられるので、図８（Ａ）、（Ｂ）に示される如くのヒートポンプ式冷暖房システム１００において、冷房運転が行われる。
【０１０８】
一方、主弁体１５が冷房位置（上端位置）（図５に示される如くの第１連通状態）にあるときにおいて、上記第１実施形態と同様の構成を有する四方パイロット弁９０を制御する（すなわち、四方パイロット弁９０の電磁コイル９１への通電をＯＮにする）と、主弁体１５が暖房位置（下端位置）（図６に示される如くの第２連通状態）をとる。
【０１０９】
これにより、ポートｐＡとポートｐＦとが（第１Ｕターン通路１６Ａを介して）連通せしめられ、ポートｐＥとポートｐＤとが（第２Ｕターン通路１６Ｂを介して）連通せしめられ、ポートｐＣとポートｐＢとが（上側貫通路５１を介して）連通せしめられるので、図８（Ａ）、（Ｂ）に示される如くのヒートポンプ式冷暖房システム１００において、暖房運転が行われる。
【０１１０】
このように、本実施形態の六方切換弁２でも、上記第１実施形態の六方切換弁１と同様に、電磁式四方パイロット弁９０への通電をＯＮ／ＯＦＦで切り換えることで、六方切換弁２内を流通する高圧流体（高圧部分であるポートｐＡを流れる流体）と低圧流体（低圧部分であるポートｐＤを流れる流体）との差圧を利用して六方弁本体１０を構成する主弁体１５を主弁室１２内で移動させることにより、主弁ハウジング１１に合計で６個設けられたポート間の連通状態が切り換えられ、図８（Ａ）、（Ｂ）に示される如くのヒートポンプ式冷暖房システム１００において、暖房運転から冷房運転への切り換え、及び、冷房運転から暖房運転への切り換えを行うことができる。
【０１１１】
以上の説明から理解されるように、本実施形態の六方切換弁２においては、上記第１実施形態の六方切換弁１と同様の作用効果が得られることに加えて、冷房位置（第１連通状態）において、ポートｐＥとポートｐＦが主弁体１５を貫通して設けられた直線状の（言い換えれば、左右方向に亘って通路径が一定のストレート状通路からなる）下側貫通路５２を介して連通せしめられ、暖房位置（第２連通状態）において、ポートｐＣとポートｐＢとが主弁体１５を貫通して設けられた直線状の（言い換えれば、左右方向に亘って通路径が一定のストレート状通路からなる）上側貫通路５１を介して連通せしめられる。そのため、冷房位置（第１連通状態）においてポートｐＥからポートｐＦへ流れる中圧流体（冷媒）及び暖房位置（第２連通状態）においてポートｐＣからポートｐＢへ流れる中圧流体（冷媒）の流路径が一定となるので、当該中圧流体（冷媒）の圧力損失をより一層低減することが可能となる。
【０１１２】
また、本実施形態では、主弁室１２と圧力室１７とが常時連通せしめられ、ポート（吐出側高圧ポート）ｐＡから第１Ｕターン通路１６Ａ及び連通孔１６ａを介して圧力室１７に導入された高圧流体（冷媒）が主弁室１２にも充填されるため、主弁室１２に導入された高圧冷媒によっても、主弁体１５を構成する第１スライド弁体１５Ａと第２スライド弁体１５Ｂとがポートが設けられる第１主弁座１３及び第２主弁座１４にそれぞれ圧接せしめられる。そのため、第１主弁座１３及び第２主弁座１４への押し付け荷重が増加し、弁漏れをより効果的に抑えることが可能となる。
【０１１３】
なお、上記第１及び第２実施形態の六方切換弁１、２では、構成を簡素化するために、第１主弁座１３に設けられた各ポート（ポートｐＢ、ポートｐＡ、ポートｐＦ）と第２主弁座１４に設けられた各ポート（ポートｐＣ、ポートｐＤ、ポートｐＥ）とが対向配置されているが、６個のポートｐＡ〜ｐＦの配置構成（向きや位置関係等）は、図示例に限られないことは勿論である。例えば、第１主弁座１３に設けられた各ポート（ポートｐＢ、ポートｐＡ、ポートｐＦ）と第２主弁座１４に設けられた各ポート（ポートｐＣ、ポートｐＤ、ポートｐＥ）とを、軸線Ｏ周りで（主弁ハウジング１１の周方向で）９０度の角度間隔だけ離れた位置、言い換えれば、第１主弁座１３に設けられた各ポート（ポートｐＢ、ポートｐＡ、ポートｐＦ）と第２主弁座１４に設けられた各ポート（ポートｐＣ、ポートｐＤ、ポートｐＥ）とが直交するように設けても良い。
【０１１４】
また、上記第１及び第２実施形態の六方切換弁１、２では、四方パイロット弁９０を用いて主弁室１２内で主弁体１５を駆動する構成について説明したが、例えば四方パイロット弁９０に代えてモータを用いて主弁室１２内で主弁体１５を駆動する構成でも良い。
【０１１５】
また、本第１及び第２実施形態の六方切換弁１、２は、ヒートポンプ式冷暖房システムのみならず、他のシステム、装置、機器類にも組み込めることは勿論である。
【符号の説明】
【０１１６】
１    六方切換弁（第１実施形態）
２    六方切換弁（第２実施形態）
１０    六方弁本体
１１    主弁ハウジング
１１Ａ  上端側蓋部材
１１Ｂ  下端側蓋部材
１２    主弁室
１３    第１主弁座（弁シート）
１４    第２主弁座（弁シート）
１５    主弁体
１５Ａ  第１スライド弁体
１５Ｂ  第２スライド弁体
１５ａ  第１スライド弁体の嵌合凸部
１５ｂ  第２スライド弁体の筒状部
１６Ａ  第１Ｕターン通路（連通路）
１６Ｂ  第２Ｕターン通路（連通路）
１６ａ  連通孔
１７    圧力室
１８    Ｏリング（シール材）
１９    圧縮コイルばね（付勢部材）
２１    第１ピストン
２２    第２ピストン
２５    主連結体
２５ａ  主開口
２５ｂ  円形開口
２５ｃ  円形開口
３１    第１作動室
３２    第２作動室
５１    上側貫通路（連通路）
５１Ａ  第１上側貫通路部
５１Ｂ  第２上側貫通路部
５２    下側貫通路（連通路）
５２Ａ  第１下側貫通路
５２Ｂ  第２下側貫通路
５３    嵌挿筒部
５４    大径部
５５    Ｏリング（シール材）
９０    四方パイロット弁
ｐＡ、ｐＢ、ｐＣ、ｐＤ、ｐＥ、ｐＦ  ポート
【図１】
2018044666.tif 000003
【図２】
2018044666.tif 000004
【図３】
2018044666.tif 000005
【図４】
2018044666.tif 000006
【図５】
2018044666.tif 000007
【図６】
2018044666.tif 000008
【図７】
2018044666.tif 000009
【図８】
2018044666.tif 000010